(57)【要約】【課題】エレベータが設置された建物の中で除細動が必要な患者が発生した場合にＡＥＤを用いた除細動を迅速に行うことができるとともに、点検作業の効率を向上させることができるエレベータを得る。【解決手段】操作部を有したＡＥＤ本体１１と、操作部を覆う覆い位置と操作部が露出する露出位置との間で変位する蓋部１２と、蓋部１２が露出位置にあるときにＡＥＤ本体１１の自動点検が行われ、点検結果に応じた色の光を発するランプ１４とを有し、かごに設けられたＡＥＤ６と、蓋部１２を覆い位置から露出位置へ変位させる蓋部変位装置と、ランプ１４が発する光の色を識別する光センサ３４とを備えている。【選択図】図２
2011230900.tif 000002
【特許請求の範囲】
【請求項１】
操作部を有した自動体外式除細動器本体と、前記操作部を覆う覆い位置と前記操作部が露出する露出位置との間で変位する蓋部と、前記蓋部が前記露出位置にあるときに前記自動体外式除細動器本体の自動点検が行われ、点検結果に応じた色の光を発する発光装置とを有し、かごに設けられた自動体外式除細動器と、
前記蓋部を前記覆い位置から前記露出位置へ変位させる蓋部変位装置と、
前記発光装置が発する光の色を識別する光色識別装置とを備えたことを特徴とするエレベータ。
【請求項２】
前記蓋部変位装置は、前記かごが待機しているときにのみ、前記蓋部を前記覆い位置から前記露出位置へ変位させることを特徴とする請求項１に記載のエレベータ。
【請求項３】
出入口が形成され、前記出入口を通って前記自動体外式除細動器が出し入れされる収納箱と、
前記出入口を開閉する扉と、
前記出入口が開くことを検出する扉開検出装置とをさらに備えたことを特徴とする請求項１または請求項２に記載のエレベータ。
【請求項４】
出入口が形成され、前記出入口を通って前記自動体外式除細動器が出し入れされる収納箱と、
前記収納箱から前記自動体外式除細動器が取り出されることを検出する取出検出装置とをさらに備えたことを特徴とする請求項１または請求項２に記載のエレベータ。
【請求項５】
前記収納箱から前記自動体外式除細動器が取り出されることを検出する取出検出装置をさらに備えたことを特徴とする請求項３に記載のエレベータ。
【発明の詳細な説明】
【技術分野】
【０００１】
この発明は、かごが昇降路を昇降するエレベータに関する。
【背景技術】
【０００２】
従来、かごに自動体外式除細動器（Ａｕｔｏｍａｔｅｄ  Ｅｘｔｅｒｎａｌ  Ｄｅｆｉｂｒｉｌｌａｔｏｒ、以下、ＡＥＤと記載）が設置されたエレベータが知られている。乗場に設けられた緊急呼びスイッチが操作されることにより、その乗場のある階にかごが直行する。これにより、エレベータが設置された建物の中で除細動が必要な患者が発生した場合に、ＡＥＤを用いた除細動を迅速に行うことができる（例えば、特許文献１参照）。
【先行技術文献】
【特許文献】
【０００３】
【特許文献１】特開２００８−２６５８９８号公報
【発明の概要】
【発明が解決しようとする課題】
【０００４】
しかしながら、ＡＥＤは、例えば、バッテリの電圧不足等により、正常に動作しないことがある。したがって、作業者はＡＥＤを定期的に点検する必要がある。ＡＥＤはかごに設置されているので、作業者は、ＡＥＤを点検するために、定期的にかご内に入ってＡＥＤを操作しなければならず、点検作業の効率が悪いという問題点があった。
【０００５】
この発明は、エレベータが設置された建物の中で除細動が必要な患者が発生した場合にＡＥＤを用いた除細動を迅速に行うことができるとともに、点検作業の効率を向上させることができるエレベータを提供するものである。
【課題を解決するための手段】
【０００６】
この発明に係るエレベータは、操作部を有した自動体外式除細動器本体と、前記操作部を覆う覆い位置と前記操作部が露出する露出位置との間で変位する蓋部と、前記蓋部が前記露出位置にあるときに前記自動体外式除細動器本体の自動点検が行われ、点検結果に応じた色の光を発する発光装置とを有し、かごに設けられた自動体外式除細動器と、前記蓋部を前記覆い位置から前記露出位置へ変位させる蓋部変位装置と、前記発光装置が発する光の色を識別する光色識別装置とを備えている。
【発明の効果】
【０００７】
この発明に係るエレベータによれば、かごに自動体外式除細動器が設けられているので、エレベータが設置された建物の中で除細動が必要な患者が発生した場合に、ＡＥＤを用いた除細動を迅速に行うことができる。また、蓋部変位装置により蓋部が覆い位置から露出位置に変位して、自動体外式除細動器本体の自動点検が行われ、点検結果に応じた色の光が発光装置から発せられ、光色識別装置が発光装置の発した光の色を識別するので、作業者がかご内に入らなくても、ＡＥＤを点検することができる。これにより、点検作業の効率を向上させることができる。
【図面の簡単な説明】
【０００８】
【図１】この発明の実施の形態１に係るエレベータのかご装置を示す断面図である。
【図２】図１のかご室内の中心からトランク室および収納箱を視た正面図である。
【図３】図１のＡＥＤおよびＡＥＤ点検装置を示す側面図である。
【図４】図１のＡＥＤおよびＡＥＤ点検装置を示す平面図である。
【図５】図３のＡＥＤ点検装置を示す正面図である。
【図６】図３のＡＥＤ点検装置を示す平面図である。
【図７】図３のＡＥＤにＡＥＤ点検装置が当接したときのＡＥＤおよびＡＥＤ点検装置を示す正面図である。
【図８】図７のロック装置およびロック引上げこまを示す正面図である。
【図９】図８のロック装置が解除位置にあるときのロック装置およびロック引上げこまを示す正面図である。
【図１０】図７の爪が蓋部に当接したときのＡＥＤおよびＡＥＤ点検装置を示す正面図である。
【図１１】図７の蓋部が露出位置にあるときのＡＥＤおよびＡＥＤ点検装置を示す正面図である。
【図１２】図３のＡＥＤ本体の点検内容を示した表である。
【図１３】ＡＥＤが使用可能である場合のＡＥＤ点検装置によるＡＥＤ本体の点検の流れを示すフローチャートである。
【図１４】ＡＥＤが使用不可である場合のＡＥＤ点検装置によるＡＥＤ本体の点検の流れを示すフローチャートである。
【図１５】ＡＥＤを監視する制御装置の制御の流れを示すフローチャートである。
【発明を実施するための形態】
【０００９】
実施の形態１．
図１はこの発明の実施の形態１に係るエレベータのかご装置を示す断面図である。図において、昇降路には、かご室１が設けられている。かご室１には、乗客等がかご室１に出入りするための出入口が形成されている。かご室１の外側には、かご室１の出入口を開閉する戸２が設けられている。かご室１の上部には、文字等を表示する表示灯３が設けられている。
【００１０】
かご室１の外側には、トランク室４と収納箱５とが設けられている。トランク室４および収納箱５は、かご室１に接続されている。収納箱５は、トランク室４の上に載せられている。トランク室４および収納箱５は、トランク室４および収納箱５と戸２との間にかご室１が位置するように配置されている。収納箱５内には、ＡＥＤ（自動体外式除細動器）６と、ＡＥＤ点検装置７とが設けられている。
【００１１】
図２は図１のかご室１内の中心からトランク室４および収納箱５を視た正面図である。収納箱５には、出入口５ａが形成されている。ＡＥＤ６およびＡＥＤ点検装置７は、収納箱５の出入口５ａを通って、かご室１から収納箱５に出し入れされるようになっている。収納箱５には、収納箱５の出入口５ａを開閉する扉８（図１）が設けられている。
【００１２】
収納箱５の底板には、ＡＥＤ６が収納箱５から取り出されたことを検出する取出検出装置９が設けられている。ＡＥＤ６は、ＡＥＤ６が収納箱５に収納されているときには、取出検出装置９の上方に配置される。収納箱５の上部には、収納箱５の出入口５ａが開いていることを検出する扉開検出装置１０が設けられている。
【００１３】
図３は図１のＡＥＤ６およびＡＥＤ点検装置７を示す側面図、図４は図１のＡＥＤ６およびＡＥＤ点検装置７を示す平面図である。ＡＥＤ６は、操作部１１ａを有したＡＥＤ本体１１と、ＡＥＤ本体１１に回動可能に設けられた蓋部１２と、蓋部１２に設けられＡＥＤ本体１１と係合するロック装置１３と、ＡＥＤ本体１１に設けられたランプ（発光装置）１４とを有している。
【００１４】
蓋部１２は、ＡＥＤ本体１１の操作部１１ａを覆う覆い位置と、ＡＥＤ本体１１の操作部１１ａが露出する露出位置との間で変位する。ＡＥＤ本体１１は、蓋部１２が覆い位置から露出位置に変位することにより、電源が自動的に入るようになっている。また、ＡＥＤ本体１１は、電源が自動的に入った後、ＡＥＤ６が使用可能であるか否かについての自動点検を行うようになっている。この例では、自動点検において、ＡＥＤ本体１１に電力を供給するバッテリの電圧不足の有無について点検する。
【００１５】
ロック装置１３は、蓋部１２が覆い位置にあるときにＡＥＤ本体１１と係合する係合位置と、蓋部１２が覆い位置にあるときにＡＥＤ本体１１との係合が解除される解除位置との間で変位する。蓋部１２には、ロック装置１３の位置が係合位置となるようにロック装置１３を付勢するばね（図示せず）が設けられている。蓋部１２は、ロック装置１３がＡＥＤ本体１１に係合することにより、覆い位置に保持される。
【００１６】
ランプ１４は、ＡＥＤ本体１１による自動点検の点検結果に応じた色の光を発する。この例では、自動点検の結果、ＡＥＤ６が使用可能である場合には、緑色の光がランプ１４から発せられ、ＡＥＤ６に異常が見つかりＡＥＤ６が使用不可である場合には、赤色の光がランプ１４から点滅しながら発せられる。
【００１７】
ＡＥＤ本体１１には、電極パッド（図示せず）が接続されている。電極パッドは、蓋部１２が覆い位置にあるときに、ＡＥＤ本体１１と蓋部１２との間に収納される。
【００１８】
図５は図３のＡＥＤ点検装置７を示す正面図、図６は図３のＡＥＤ点検装置７を示す平面図である。収納箱５（図２）の底板の上には、板形状の台１５が設けられている。台１５の上には、移動台１６が設けられている。移動台１６は、台１５を転動する移動輪１６ａを有している。移動台１６は、移動輪１６ａが台１５を転動することにより、台１５に沿って移動する。移動台１６の移動する方向は、移動台１６がＡＥＤ６に向かう方向である。
【００１９】
移動台１６には、支え板１７が設けられている。支え板１７は、移動台１６の上面から上方に延び互いに離れて設けられた一対の縦板部１７ａと、各縦板部１７ａ間に渡って設けられた上板部１７ｂとを有している。縦板部１７ａは、移動台１６に固定されている。各縦板部１７ａは、移動台１６に直交する方向から縦板部１７ａを視たときに、移動台１６の移動方向に直交する方向に離れて配置されている。上板部１７ｂは、各縦板部１７ａの上端部に固定されている。
【００２０】
上板部１７ｂの上部には、モータ１８が設けられている。モータ１８には、モータ１８の駆動により回転するねじ棒１９が設けられている。ねじ棒１９は、上板部１７ｂを貫通して、移動台１６に向かって延びている。
【００２１】
ねじ棒１９には、移動台１６の移動方向に延びたロック外し棒２０が設けられている。ロック外し棒２０は、ねじ棒１９の回転により、移動台１６に対して近づく方向または離れる方向に移動する。移動台１６には、一対の案内棒２１が立てられている。案内棒２１およびねじ棒１９は、移動台１６の移動方向に並べて配置されている。一対の案内棒２１は、ねじ棒１９を挟むように配置されている。各案内棒２１は、ロック外し棒２０に形成された貫通孔を貫通して配置されている。これにより、ねじ棒１９が回転するときにロック外し棒２０がねじ棒１９を中心に回転することが防止される。
【００２２】
一対の案内棒２１のうちの一方の案内棒２１には、上端部リミットスイッチ２２および下端部リミットスイッチ２３が設けられている。上端部リミットスイッチ２２は、案内棒２１の上端部に配置されている。モータ１８は、ロック外し棒２０が上方へ移動しているときに、ロック外し棒２０が上端部リミットスイッチ２２に当接することにより、駆動が停止されるようになっている。また、モータ１８は、ロック外し棒２０が下方へ移動しているときに、ロック外し棒２０が下端部リミットスイッチ２３に当接することにより、駆動が停止されるようになっている。
【００２３】
ロック外し棒２０のＡＥＤ６（図３）側の端部には、ロック引上げこま２４が設けられている。ロック引上げこま２４は、回動軸２５を中心に回動可能となっている。回動軸２５は、移動台１６の移動方向に直交し、さらに、台１５に沿った方向に延びて配置されている。ロック引上げこま２４は、回動軸２５に直交する断面が楕円形となるように形成されている。ロック引上げこま２４は、ＡＥＤ６側の端部が、反ＡＥＤ６側の端部よりも、台１５から離れて配置されている。ロック外し棒２０には、ロック引上げこま２４の回動を規制するこま止め２６が設けられている。ロック引上げこま２４がこま止め２６に当接することにより、ロック引上げこま２４のＡＥＤ６側の端部が所定の位置よりも下方へ移動することが規制される。
【００２４】
ロック外し棒２０には、支え板１７の上板部１７ｂに沿って延びた一対の取付板２７が固定されている。各取付板２７は、移動台１６の移動方向に並べて配置されている。各取付板２７は、長手方向の中間部でロック外し棒２０に接続されている。取付板２７の両端部には、移動台１６の移動方向に沿って延びた一対の保持棒２８が固定されている。保持棒２８の両端部は、各取付板２７に接続されている。保持棒２８には、ＡＥＤ６側の端部から移動台１６の移動方向に延びた穴２８ａが形成されている。
【００２５】
各保持棒２８の穴２８ａには、移動台１６の移動方向に延びて配置されたばね２９と、ばね２９よりもＡＥＤ６側で移動台１６の移動方向に延びて配置された出入り棒３０とが挿入されている。ばね２９の反出入り棒３０側の端部は、保持棒２８の穴２８ａの底面に当接している。出入り棒３０の反ばね２９側の端部は、保持棒２８から移動台１６の移動方向に突出している。
【００２６】
出入り棒３０の反ばね２９側の端部には、回動部材３１が設けられている。回動部材３１の回動軸は、移動台１６の移動方向に直交し、さらに、台１５に沿った方向に延びて配置されている。回動部材３１の反出入り棒３０側の部分には、爪支え部材３２が設けられている。爪支え部材３２は、回動部材３１からＡＥＤ６側に向かって延びている。爪支え部材３２の反回動部材３１側の端部には、爪３３が設けられている。爪３３は、爪支え部材３２が回動部材３１を中心に回動することにより、台１５に対して近づく方向または離れる方向に移動する。また、爪３３は、爪支え部材３２に対して爪支え部材３２の軸線を中心に回動可能となっている。
【００２７】
台１５の上部には、ランプ１４に対向する光センサ（光色識別装置）３４が設けられている。光センサ３４は、ランプ１４が発する光の色を識別する。
【００２８】
表示灯３、扉開検出装置１０、移動台１６、モータ１８、上端部リミットスイッチ２２、下端部リミットスイッチ２３および光センサ３４は、かごの昇降を制御する制御装置により制御されるようになっている。
【００２９】
図２に示すように、収納箱５には、カバー３５が設けられている。カバー３５は、台１５、移動台１６、支え板１７、モータ１８、ねじ棒１９、ロック外し棒２０、案内棒２１、上端部リミットスイッチ２２、下端部リミットスイッチ２３、ロック引上げこま２４、回動軸２５、こま止め２６、取付板２７、保持棒２８、ばね２９、出入り棒３０、回動部材３１、爪支え部材３２および爪３３を上方から覆っている。カバー３５のＡＥＤ６に対向した部分には、ロック外し棒２０、ロック引上げこま２４、出入り棒３０、回動部材３１、爪支え部材３２および爪３３が通過可能な貫通孔が形成されている。
【００３０】
蓋部変位装置は、移動台１６、支え板１７、モータ１８、ねじ棒１９、ロック外し棒２０、取付板２７、保持棒２８、ばね２９、出入り棒３０、回動部材３１、爪支え部材３２および爪３３を有している。
【００３１】
ＡＥＤ点検装置７は、台１５、移動台１６、支え板１７、モータ１８、ねじ棒１９、ロック外し棒２０、案内棒２１、上端部リミットスイッチ２２、下端部リミットスイッチ２３、ロック引上げこま２４、回動軸２５、こま止め２６、取付板２７、保持棒２８、ばね２９、出入り棒３０、回動部材３１、爪支え部材３２、爪３３、カバー３５および制御装置を有している。
【００３２】
図７は図３のＡＥＤ６にＡＥＤ点検装置７が当接したときのＡＥＤ６およびＡＥＤ点検装置７を示す正面図、図８は図７のロック装置１３およびロック引上げこま２４を示す正面図、図９は図８のロック装置１３が解除位置にあるときのロック装置１３およびロック引上げこま２４を示す正面図である。移動輪１６ａが回転して移動台１６がＡＥＤ６に近づく方向に移動すると、ロック引上げこま２４がロック装置１３に当接する。ロック引上げこま２４がロック装置１３に当接した状態で、さらに移動台１６がＡＥＤ６に近づく方向に移動すると、ロック引上げこま２４に当接されたロック装置１３の部分がロック引上げこま２４により上方へ持ち上げられ、ロック装置１３が係合位置から解除位置へ変位する。
【００３３】
図１０は図７の爪３３が蓋部１２に当接したときのＡＥＤ６およびＡＥＤ点検装置７を示す正面図、図１１は図７の蓋部１２が露出位置にあるときのＡＥＤ６およびＡＥＤ点検装置７を示す正面図である。爪３３が蓋部１２に当接した状態で、さらに、移動台１６がＡＥＤ６に近づく方向に移動すると、ばね２９が圧縮される。
【００３４】
ロック装置１３の位置が解除位置となった状態でモータ１８が駆動すると、ロック外し棒２０とともに保持棒２８が台１５から離れる方向に移動して、蓋部１２が覆い位置から露出位置へ変位する。このとき、ばね２９が伸張して、爪３３が蓋部１２を挟持する。ＡＥＤ本体１１は、蓋部１２が覆い位置から露出位置へ変位することにより、電源が自動的に入り、さらに、ＡＥＤ本体１１の自動点検を行う。
【００３５】
ランプ１４は、ＡＥＤ本体１１の自動点検の点検結果に応じた色の光を発する。光センサ３４は、ランプ１４が発する光の色を識別し、識別情報を制御装置へ伝達する。
【００３６】
図１２は図３のＡＥＤ本体１１の点検内容を示した表である。ＡＥＤ６のバッテリの容量チェックは、ＡＥＤ点検装置７により、毎日、自動的に行われる。電極パッドの粘着可否チェックは、作業者により、毎月、行われる。その他の総点検は、作業者により、その都度行われる。
【００３７】
次に動作について説明する。図１３はＡＥＤ６が使用可能である場合のＡＥＤ点検装置７によるＡＥＤ６の点検の流れを示すフローチャートである。ＡＥＤ点検装置７によるＡＥＤ本体１１の点検は、エレベータが利用されていない時刻、例えば、深夜０時に行われるようになっている。
【００３８】
まず、点検時刻になると、制御装置は、かごの運転状況から、エレベータが利用されておらず、かつ、かご内に人がいないか否かを判定する（ステップＳ１）。エレベータが利用されておらず、かつ、かご内に人がいない場合、つまり、かごが待機している場合には、制御装置は、移動台１６の位置を確認した上で、移動輪１６ａを回転させて移動台１６をＡＥＤ６に近づく方向へ移動させる。これにより、ＡＥＤ点検装置７がＡＥＤ６に近づく（ステップＳ２）。
【００３９】
移動台１６がＡＥＤ６に近づく方向へ移動することにより、ロック引上げこま２４がロック装置１３に当接して、ロック装置１３が係合位置から解除位置へ変位する。このとき、爪３３が蓋部１２を押圧し、ばね２９が圧縮される。その後、モータ１８が駆動して、ロック外し棒２０は、台１５から離れる方向、つまり上昇する方向に移動する。ロック外し棒２０の上昇時間が所定の時間を経過すると（ステップＳ３）、ロック装置１３がＡＥＤ本体１１から離れ、さらに、ばね２９が伸張することにより爪３３が蓋部１２を挟持する（ステップＳ４）。
【００４０】
保持棒２８が引き続き上昇する方向に移動することにより、蓋部１２の位置が露出位置となる（ステップＳ５）。これにより、ＡＥＤ本体１１の自動点検が開始される。
【００４１】
ＡＥＤ本体１１の自動点検の結果、ＡＥＤ６が使用可能である場合には、ランプ１４が緑の光を発する（ステップＳ６）。このとき、光センサ３４が、ランプ１４が発する光の色を検出し、検出結果の情報を制御装置へ伝達する。検出結果の情報が伝達された制御装置は、自動点検完了を認識して記憶し、さらに、表示灯３に、「バッテリＯＫ」と表示し、管理室に対して、ＡＥＤ６が使用可能である旨を報知する。
【００４２】
その後、保持棒２８が上端部リミットスイッチ２２に当接すると（ステップＳ７）、モータ１８の駆動が停止し、さらに、回転する方向が反転するようにモータ１８が駆動して、保持棒２８が台１５に近づく方向、つまり、下降する方向に移動する（ステップＳ８）。
【００４３】
保持棒２８が引き続き下降する方向に移動することにより、蓋部１２の位置が覆い位置となる。その後、保持棒２８が下端部リミットスイッチ２３に当接すると（ステップＳ９）、移動台１６は、ＡＥＤ６から離れる方向に移動する（ステップＳ１０）。これにより、ロック装置１３の位置が係合位置となり、蓋部１２が覆い位置に保持される。
【００４４】
移動台１６が元の位置に到達することにより、ＡＥＤ点検装置７によるＡＥＤ本体１１の自動点検が終了する。
【００４５】
図１４はＡＥＤ６が使用不可である場合のＡＥＤ点検装置７によるＡＥＤ本体１１の点検の流れを示すフローチャートである。図１３のステップＳ５の後、ＡＥＤ本体１１の自動点検が開始され、ＡＥＤ本体１１の自動点検の結果、ＡＥＤ６が使用不可である場合には、ランプ１４が赤の光を発する。つまり、ランプ１４は緑の光を発しない（ステップＳ１１）。このとき、光センサ３４が、ランプ１４が発する光の色を検出し、検出結果の情報を制御装置へ伝達する。検出結果の情報が伝達された制御装置は、ＡＥＤ６が故障したと判断して、総点検が必要であることを記憶し、表示灯３に「ＡＥＤ故障」と表示し、管理室に対して、ＡＥＤ６が使用不可である旨を報知する。その他の動作は、ＡＥＤ６が使用可能である場合と同様である。
【００４６】
次に、ＡＥＤ６の監視について説明する。図１５はＡＥＤ６を監視する制御装置の制御の流れを示すフローチャートである。図において、扉開検出装置１０は、収納箱５の出入口５ａが開いたか否かを検出する（ステップＳ１０１）。
【００４７】
扉開検出装置１０により収納箱５の出入口５ａが開いたことが検出された場合には、制御装置は、光センサ３４からの情報に基づいてランプ１４が発する光の色が緑であるか否かを判定する（ステップＳ１０２）。
【００４８】
ランプ１４が発する光の色が緑であったと制御装置が判定した場合には、制御装置は、管理室に対して、電極パッドの目視チェックが必要である旨を報知する（ステップＳ１０３）。
【００４９】
ランプ１４が発する光の色が緑ではなかった場合には、制御装置は、光センサ３４からの情報に基づいて、ランプ１４が発する光の色が赤であるか否かを判定する（ステップＳ１０４）。
【００５０】
ランプ１４が発する光の色が赤であったと制御装置が判定した場合には、制御装置は、ＡＥＤ６が使用不可であると判断し、表示灯３に、ＡＥＤ６の総点検が必要である旨を表示し、さらに、管理人室に対して、ＡＥＤ６の総点検が必要である旨を報知する（ステップＳ１０５）。
【００５１】
ランプ１４が発する光の色が赤ではなかった場合には、制御装置は、取出検出装置９からの情報に基づいて、ＡＥＤ６が収納箱５から取り出されたか否かを判定する（ステップＳ１０６）。
【００５２】
制御装置はＡＥＤ６が収納箱５から取り出されたと判定した場合には、ステップＳ１０５に進む。制御装置はＡＥＤ６が収納箱５から取り出されていないと判定した場合には、ステップＳ１０１に進む。
【００５３】
以上説明したように、この発明の実施の形態１に係るエレベータによれば、かごにＡＥＤ６が設けられているので、エレベータが設置された建物の中で除細動が必要な患者が発生した場合に、ＡＥＤ６を用いた除細動を迅速に行うことができる。また、蓋部変位装置により蓋部１２が覆い位置から露出位置に変位して、ＡＥＤ本体１１の自動点検が行われ、点検結果に応じた色の光がランプ１４から発せられて、光センサ３４がランプ１４の発した光の色を識別するので、作業者がかご内に入らなくても、ＡＥＤ６を点検することができる。これにより、点検作業の効率を向上させることができる。
【００５４】
また、蓋部変位装置は、かごが待機しているときにのみ、蓋部１２を覆い位置から露出位置へ変位させるので、かごが利用されているときに、ＡＥＤ本体１１の自動点検が行われることを防ぐことができる。
【００５５】
また、出入口５ａが形成され、出入口５ａを通ってＡＥＤ６が出し入れされる収納箱５と、出入口５ａを開閉する扉８と、出入口５ａが開くことを検出する扉開検出装置１０とをさらに備えているので、扉８が移動することにより出入口５ａが開いたことを管理室へ報知することができる。
【００５６】
また、出入口５ａが形成され、出入口５ａを通ってＡＥＤ６が出し入れされる収納箱５と、収納箱５からＡＥＤ６が取り出されることを検出する取出検出装置９とをさらに備えているので、ＡＥＤ６が収納箱５から取り出されたことを管理室へ報知することができる。
【００５７】
また、出入口５ａが形成され、出入口５ａを通ってＡＥＤ６が出し入れされる収納箱５と、出入口５ａを開閉する扉８と、出入口５ａが開くことを検出する扉開検出装置１０と、収納箱５からＡＥＤ６が取り出されることを検出する取出検出装置９とをさらに備えているので、扉８が移動することにより出入口５ａが開いたことおよびＡＥＤ６が収納箱５から取り出されたことを管理室へ報知することができる。
【００５８】
なお、この発明の実施の形態１では、ＡＥＤ６を収納する収納箱５と、収納箱５の出入口５ａを開閉する扉８と、出入口５ａが開くことを検出する扉開検出装置１０と、収納箱５からＡＥＤ６が取り出されたことを検出する取出検出装置９とを備えたエレベータについて説明したが、これらを備えないエレベータであってもよい。
【符号の説明】
【００５９】
１  かご室、２  戸、３  表示灯、４  トランク室、５  収納箱、５ａ  出入口、６  ＡＥＤ（自動体外式除細動器）、７  ＡＥＤ点検装置、８  扉、９  取出検出装置、１０  扉開検出装置、１１  ＡＥＤ本体、１１ａ  操作部、１２  蓋部、１３  ロック装置、１４  ランプ（発光装置）、１５  台、１６  移動台、１６ａ  移動輪、１７  支え板、１７ａ  縦板部、１７ｂ  上板部、１８  モータ、１９  ねじ棒、２０  ロック外し棒、２１  案内棒、２２  上端部リミットスイッチ、２３  下端部リミットスイッチ、２４  ロック引上げこま、２５  回動軸、２６  こま止め、２７  取付板、２８  保持棒、２８ａ  穴、２９  ばね、３０  出入り棒、３１  回動部材、３２  爪支え部材、３３  爪、３４  光センサ（光色識別装置）、３５  カバー。
【図１】
2011230900.tif 000003
【図２】
2011230900.tif 000004
【図３】
2011230900.tif 000005
【図４】
2011230900.tif 000006
【図５】
2011230900.tif 000007
【図６】
2011230900.tif 000008
【図７】
2011230900.tif 000009
【図８】
2011230900.tif 000010
【図９】
2011230900.tif 000011
【図１０】
2011230900.tif 000012
【図１１】
2011230900.tif 000013
【図１２】
2011230900.tif 000014
【図１３】
2011230900.tif 000015
【図１４】
2011230900.tif 000016
【図１５】
2011230900.tif 000017